(57)【要約】      （修正有）【課題】ボード材を簡素な構造とすることにより、ボード材の製造工程を簡略化するとともにその製造コストを削減することができるパーティションを提供すること。【解決手段】支柱１のボード２を支持する部分を四角形状に形成するとともに、支柱１の対向する柱面３にボード材４の側部を添設し、ボード材４の側部を、背面側にプラスチックファスナ５を設けた目地材６により支柱１に固定する。【選択図】図１
2005207170.tif 000002
【特許請求の範囲】
【請求項１】
複数の支柱でボードを支持することにより屋内を仕切るパーティションにおいて、支柱のボードを支持する部分を四角形状に形成するとともに、該支柱の対向する柱面にボード材の側部を添設し、該ボード材の側部を、背面側にプラスチックファスナを設けた目地材により支柱に固定したことを特徴とするパーティション。
【発明の詳細な説明】
【技術分野】
【０００１】
本発明は、パーティションに関し、特に、ボード材を簡素な構造とすることにより、ボード材の製造工程を簡略化するとともにその製造コストを削減することができるパーティションに関するものである。
【背景技術】
【０００２】
パーティションは、一般的にスチール等の金属製や合板を使用した木製のものによって構成されている。
これらは組み立てに専門的な技術者を必要とするとともに、重いために部材自体の取扱いも容易ではなく、さらに、解体後の廃棄作業は細分化に手間がかかるという問題を有している。
【０００３】
このような問題に対処するために、ボード材として段ボールを使用し、ある程度の厚みを確保した紙製のボードを壁板として組み立てるパーティションが提案されている。
このパーティションは、ボード材をハニカムコアと紙板とからなる紙製ハニカムにより構成し、ボードの側端を嵌入させる溝を備えた支柱と組み合わせることによりパーティションを組み立てている。
【０００４】
しかしながら、上記従来のパーティションは、ボード材自体で厚みや強度を確保するために、ボード材をハニカムコアと紙板とからなる紙製ハニカムにより構成していることから、ボード材の製造工程が複雑になるとともに、製造コストも上昇するという問題点を有している。
【発明の開示】
【発明が解決しようとする課題】
【０００５】
本発明は、上記従来のパーティションが有する問題点に鑑み、ボード材を簡素な構造とすることにより、ボード材の製造工程を簡略化するとともにその製造コストを削減することができるパーティションを提供することを目的とする。
【課題を解決するための手段】
【０００６】
上記目的を達成するため、本発明のパーティションは、複数の支柱でボードを支持することにより屋内を仕切るパーティションにおいて、支柱のボードを支持する部分を四角形状に形成するとともに、該支柱の対向する柱面にボード材の側部を添設し、該ボード材の側部を、背面側にプラスチックファスナを設けた目地材により支柱に固定したことを特徴とする。
【発明の効果】
【０００７】
本発明のパーティションによれば、支柱のボードを支持する部分を四角形状に形成するとともに、該支柱の対向する柱面にボード材の側部を添設し、該ボード材の側部を、背面側にプラスチックファスナを設けた目地材により支柱に固定することから、支柱の厚みでボードの厚みと強度を確保することができ、これにより、ボード材を簡素な構造として、ボード材の製造工程を簡略化するとともにその製造コストを削減することができる。
そして、ボード材の側部を、プラスチックファスナを設けた目地材で固定することにより、ボード材の側部に化粧を施し体裁を整えながら、簡易にボード材を固定することができる。
【発明を実施するための最良の形態】
【０００８】
以下、本発明のパーティションの実施の形態を図面に基づいて説明する。
【実施例１】
【０００９】
図１〜図７に、本発明のパーティションの一実施例を示す。
このパーティションは、図１に示すように、複数の支柱１、具体的には、ボード２の両側部に立設した２本の支柱１でボード２を支持することにより、屋内（室内を含む）を仕切るようにしている。
そして、支柱１のボード２を支持する部分を四角形状に形成するとともに、該支柱１の対向する柱面３に１対のボード材４の側部を添設し、該ボード材４の側部を、背面側にプラスチックファスナ５を設けた目地材６により支柱１に固定するようにしている。
【００１０】
支柱１は、四角筒のアルミ押し出し材からなり、柱面３や角部には、目地材６のプラスチックファスナ５が嵌合する凹部７が形成されている。
支柱１には、断面正方形のものや、長辺がこの正方形に等しい断面長方形のものを、単独又は組み合わせて使用することにより、パーティションのＴ字（図２（ａ））、Ｌ字各コーナ部（図２（ｂ））や、平面継ぎ部（図１、図３（ｂ））、壁取合部（図３（ａ））等を形成することができる。
支柱１は、図４〜図７に示すように、天井Ｔと床Ｕに固定されたレール８に対し、レール８に掛合するピン８１と、ピン８１を掛合状態に保持するナット８２又はねじ部材８３とにより、任意の摺動位置で固定される。
また、図５に示すように、支柱１には横桟９が配設されており、この横桟９は、支柱１に掛合するピン９１と、ピン９１を掛合状態に保持するねじ部材９２により、任意の摺動位置で固定されている。
【００１１】
ボード材４は、１０ｍｍ厚程度の長方形の段ボール等からなり、その表面には、必要に応じてビニールクロス等の化粧材が施される。
ボード材４は、図１に示すように、支柱１にかかるように配設された側部が、図２〜図３に示すように、パーティションのＴ字、Ｌ字各コーナ部や、平面継ぎ部、壁取合部等に応じた目地材６によって固定されている。
なお、ボード材４の天井側レール８との間及び床側レール８との間には、ボード材４の上下端部とレールを隠す廻縁１０がレール８の凹部８４に嵌合着されている。
【００１２】
目地材６は合成樹脂からなり、本実施例では、図２〜図３に示すように、目地部が平板状のＴ型目地材６ａ、目地部が入隅コーナ状の入隅目地材６ｂ、目地部が出隅コーナ状の出隅目地材６ｃを用い、パーティションのＴ字、Ｌ字各コーナ部や、平面継ぎ部、壁取合部等に応じて使い分けている。
各目地材６の背面側にはプラスチックファスナ５が一体に設けられており、このプラスチックファスナ５は、弾性を有して突出する２条の掛合部５１の外側に戻り止めの鉤状突起５２を形成したものからなり、鉤状突起を支柱１の凹部７のフランジ７１に掛合させることにより、アンカーのように支柱１に固定される。
このプラスチックファスナ５は、本実施例では、目地材６の長手方向に連続するように形成されているが、独立した突起状に断続して形成することも可能である。
【００１３】
かくして、本実施例のパーティションは、支柱１のボード２を支持する部分を四角形状に形成するとともに、該支柱１の対向する柱面３にボード材４の側部を添設し、該ボード材４の側部を、背面側にプラスチックファスナ５を設けた目地材６により支柱１に固定することから、支柱１の厚みでボード２の厚みと強度を確保することができ、これにより、ボード材４を簡素な構造として、ボード材４の製造工程を簡略化するとともにその製造コストを削減することができる。
そして、ボード材４の側部を、プラスチックファスナ５を設けた目地材６で固定することにより、ボード材４の側部に化粧を施し体裁を整えながら、簡易にボード材４を固定することができる。
【００１４】
以上、本発明のパーティションについて、複数の実施例に基づいて説明したが、本発明は上記実施例に記載した構成に限定されるものではなく、例えば、支柱を直接床から天井に立設するなど、その趣旨を逸脱しない範囲において適宜その構成を変更することができる。
【産業上の利用可能性】
【００１５】
以上、本発明のパーティションは、支柱の厚みでボードの厚みと強度を確保するとともに、ボード材の側部に化粧を施し体裁を整えながら、簡易にボード材を固定できるという特性を有していることから、パーティションの用途に好適に用いることができる。
【図面の簡単な説明】
【００１６】
【図１】本発明のパーティションの一実施例を示す断面斜視図である。
【図２】同パーティションを示し、（ａ）はＴ字コーナ部の断面図、（ｂ）はＬ字コーナ部の断面図である。
【図３】同パーティションを示し、（ａ）は壁取合部の断面図、（ｂ）は平面継ぎ部の断面図である。
【図４】同パーティションの上部を示す断面図である。
【図５】同正面図である。
【図６】同パーティションの下部を示す断面図である。
【図７】同正面図である。
【符号の説明】
【００１７】
１    支柱
２    ボード
３    柱面
４    ボード材
５    プラスチックファスナ
５１  掛合部
５２  鉤状突起
６    目地材
６ａ  Ｔ型目地材
６ｂ  入隅目地材
６ｃ  出隅目地材
７    凹部
７１  フランジ
８    レール
８１  ピン
８２  ナット
８３  ねじ部材
８４  凹部
９    横桟
９１  ピン
９２  ねじ部材
１０  廻縁
【図１】
2005207170.tif 000003
【図２】
2005207170.tif 000004
【図３】
2005207170.tif 000005
【図４】
2005207170.tif 000006
【図５】
2005207170.tif 000007
【図６】
2005207170.tif 000008
【図７】
2005207170.tif 000009